(57)【要約】      （修正有）【課題】ＡＰ（Access Point）無しに端末間で直接無線通信する無線通信ネットワークにおいて、端末間にＩＰアドレスを割り当てる方法及び装置を提供する。【解決手段】無線端末が外部端末を探索し、上記探索された少なくとも１つの外部端末と接続するディスカバリー（Discovery）ステップ、及び、上記無線端末が、ピーツーピーグループにおいて、アクセスポイントの機能をするグループオーナー、ステーションの機能をするグループクライアントのいずれとなるかを上記外部端末とネゴシエーションして決定するネゴシエーション（Negotiation）ステップを含み、上記ディスカバリーステップ及び上記ネゴシエーションステップのうちのいずれか１つは、上記無線端末が、上記グループクライアントに割り当てるＩＰアドレスを上記外部端末に送信するステップを含む。【選択図】図７
2013176044.tif 000002
【特許請求の範囲】
【請求項１】
ピーツーピー（peer to peer）通信が可能な無線端末のＩＰアドレス割当方法であって、
前記無線端末が、前記ピーツーピー通信が可能な外部端末を探索し、前記探索された少なくとも１つの外部端末と接続するディスカバリー（Discovery）ステップと、
前記無線端末が、ピーツーピーグループにおいて、前記外部端末がグループオーナー、グループクライアントのいずれとなるかを前記外部端末とネゴシエーションして決定するネゴシエーション（Negotiation）ステップと、を含み、
前記ディスカバリーステップ及び前記ネゴシエーションステップのうちのいずれか１つは、
前記無線端末が、前記グループクライアントに割り当てるＩＰアドレスを前記外部端末に送信するステップを含むことを特徴とする、ＩＰアドレス割当方法。
【請求項２】
前記ネゴシエーションステップは、
前記無線端末が、前記グループオーナーをする意向を表したグループオーナーインテント値及び前記ＩＰアドレスを含むフレームを、前記外部端末と交換するステップと、
前記無線端末が、自身が送信したグループオーナーインテント値（Ｘ１）が前記外部端末から受信されたグループオーナーインテント値（Ｘ２）より大きい場合、自身がグループオーナーに決まったことを表すグループオーナーネゴシエーション確認フレームを、前記外部端末に送信するステップと、
前記無線端末が、前記Ｘ１が前記Ｘ２より小さい場合、前記外部端末から受信されたＩＰアドレスを自身のＩＰアドレスに割り当てるステップと、
を含むことを特徴とする、請求項１に記載のＩＰアドレス割当方法。
【請求項３】
前記グループオーナーインテント値及び前記ＩＰアドレスを含むフレームは、グループオーナーネゴシエーション要請フレームまたはグループオーナーネゴシエーション応答フレームであることを特徴とする、請求項２に記載のＩＰアドレス割当方法。
【請求項４】
前記交換するステップは、
前記無線端末が、予め定まったグループオーナーインテント範囲でいずれか１つの値を選択するステップと、
前記無線端末が、私設ＩＰアドレスリストからいずれか１つの私設ＩＰアドレスを選択するステップと、
前記無線端末が、前記選択されたグループオーナーインテント値と前記選択された私設ＩＰアドレスをグループオーナーネゴシエーション要請フレームに含めて前記外部端末に送信するステップと、
前記無線端末が、前記外部端末からグループオーナーネゴシエーション応答フレームを受信するステップと、
を含み、
前記グループオーナーネゴシエーション応答フレームは、前記グループオーナーネゴシエーション要請フレームに応答して前記外部端末がグループオーナーインテント値及び私設ＩＰアドレスを含んで送信したものであることを特徴とする、請求項２に記載のＩＰアドレス割当方法。
【請求項５】
前記ディスカバリーステップは、
前記無線端末が、私設ＩＰアドレスリストからいずれか１つの私設ＩＰアドレスを選択するステップと、
前記無線端末が、前記選択された私設ＩＰアドレスをプロビジョンディスカバリー要請フレームに含めて前記外部端末に送信するステップと、
前記無線端末が、前記外部端末からプロビジョンディスカバリー応答フレームを受信するステップと、
を含み、
前記プロビジョンディスカバリー応答フレームは、前記プロビジョンディスカバリー要請フレームに応答して前記外部端末が私設ＩＰアドレスを含んで送信したものであることを特徴とする、請求項１に記載のＩＰアドレス割当方法。
【請求項６】
前記ネゴシエーションステップは、
前記無線端末が、前記グループオーナーをする意向を数値として表したグループオーナーインテント値を含むフレームを、前記外部端末と交換するステップと、
前記無線端末が、自身が送信したグループオーナーインテントの値（Ｘ１）が前記外部端末から受信されたグループオーナーインテントの値（Ｘ２）より大きい場合、自身がグループオーナーに決まったことを表すグループオーナーネゴシエーション確認フレームを、前記外部端末に送信するステップと、
前記無線端末が、前記Ｘ１より前記Ｘ２が小さい場合、前記ディスカバリーステップの実行中に前記外部端末から受信されたＩＰアドレスを自身のＩＰアドレスに割り当てるステップと、
を含むことを特徴とする、請求項５に記載のＩＰアドレス割当方法。
【請求項７】
前記送信するステップは、
前記無線端末が前記グループオーナーに決まった場合、自身がグループオーナーに決まったことを表すグループオーナーネゴシエーション確認フレームに前記ＩＰアドレスを含めて前記グループクライアントに決まった外部端末に送信するものであることを特徴とする、請求項１に記載のＩＰアドレス割当方法。
【請求項８】
前記無線端末が前記グループオーナーに決まった以後に、第３の外部端末からプロビジョンディスカバリー要請フレームを受信するステップと、
前記無線端末が、前記プロビジョンディスカバリー要請フレームの受信に応答して、ＩＰアドレスを含むプロビジョンディスカバリー応答フレームを、前記第３の外部端末に送信するステップと、
をさらに含むことを特徴とする、請求項１に記載のＩＰアドレス割当方法。
【請求項９】
前記ＩＰアドレスは、
前記無線端末に格納された私設ＩＰアドレスリストから選択された私設ＩＰアドレスであることを特徴とする、請求項１に記載のＩＰアドレス割当方法。
【請求項１０】
ピーツーピー（peer to peer）通信が可能な無線端末のＩＰアドレス割当装置であって、
ＩＰ基盤の無線通信をサポートし、前記ピーツーピー通信でアクセスポイントの機能を実行したり、またはステーションの機能を実行したりするワイファイモジュールと、
外部端末を探索し、前記探索された少なくとも１つの外部端末と接続するディスカバリー（Discovery）のためのフレーム、及び、前記外部端末が前記アクセスポイントの機能を実行するグループオーナー、前記ステーションの機能を実行するグループクライアントのいずれとなるかを前記外部端末とネゴシエーションして決定するネゴシエーション（Negotiation）のためのフレームを送受信するように前記ワイファイモジュールを制御し、前記ディスカバリーまたは前記ネゴシエーション中に前記グループクライアントに割り当てるＩＰアドレスを前記外部端末に送信するように前記ワイファイモジュールを制御する制御部と、
を含むことを特徴とする、ＩＰアドレス割当装置。
【請求項１１】
前記制御部は、
私設ＩＰアドレスリストから送信する私設ＩＰアドレスを選択し、前記選択された私設ＩＰアドレスを前記外部端末に送信するようにワイファイモジュールを制御することを特徴とする、請求項１０に記載のＩＰアドレス割当装置。
【請求項１２】
前記制御部は、
前記ネゴシエーションの結果、前記無線端末が前記グループクライアントに決定されれば、前記外部端末から受信された私設ＩＰアドレスを前記無線端末のＩＰアドレスに割り当てて、前記ワイファイモジュールを前記グループクライアントとして動作させることを特徴とする、請求項１１に記載のＩＰアドレス割当装置。
【請求項１３】
前記制御部は、
前記ネゴシエーションの結果、前記無線端末が前記グループオーナーに決定されれば、前記ワイファイモジュールを前記グループオーナーとして動作させることを特徴とする、請求項１２に記載のＩＰアドレス割当装置。
【請求項１４】
前記制御部は、
前記無線端末が、前記グループオーナーをする意向を表したグループオーナーインテント値、及び前記ＩＰアドレスを含むフレームを、前記外部端末と交換するように、前記ワイファイモジュールを制御し、
前記無線端末が、送信したグループオーナーインテント値（Ｘ１）が前記外部端末から受信されたグループオーナーインテント値（Ｘ２）より大きい場合、前記無線端末を前記グループオーナーに決定し、
前記無線端末が、前記グループオーナーに決まったことを表すグループオーナーネゴシエーション確認フレームを、前記外部端末に送信するように、前記ワイファイモジュールを制御し、
前記Ｘ１が前記Ｘ２より小さい場合、前記外部端末から受信されたＩＰアドレスを前記無線端末のＩＰアドレスに割り当てることを特徴とする、請求項１３に記載のＩＰアドレス割当装置。
【請求項１５】
前記制御部は、
予め定められたグループオーナーインテント範囲でいずれか１つの値を選択し、私設ＩＰアドレスリストからいずれか１つの私設ＩＰアドレスを選択し、
前記選択されたグループオーナーインテント値と前記選択された私設ＩＰアドレスを、グループオーナーネゴシエーション要請フレームに含めて前記外部端末に送信するように前記ワイファイモジュールを制御することを特徴とする、請求項１４に記載のＩＰアドレス割当装置。
【請求項１６】
前記制御部は、
私設ＩＰアドレスリストからいずれか１つの私設ＩＰアドレスを選択し、
前記選択された私設ＩＰアドレスをプロビジョンディスカバリー要請フレームに含めて前記外部端末に送信するように前記ワイファイモジュールを制御し、
前記外部端末からプロビジョンディスカバリー応答フレームを受信するように前記ワイファイモジュールを制御し、
前記プロビジョンディスカバリー応答フレームは、前記プロビジョンディスカバリー要請フレームに応答して前記外部端末が私設ＩＰアドレスを含んで送信したものであることを特徴とする、請求項１３に記載のＩＰアドレス割当装置。
【請求項１７】
前記制御部は、
前記無線端末が、前記グループオーナーをする意向を表したグループオーナーインテント値を含むフレームを、前記外部端末と交換するように、前記ワイファイモジュールを制御し、
前記無線端末が、送信したグループオーナーインテント値（Ｘ１）が前記外部端末から受信されたグループオーナーインテント値（Ｘ２）より大きい場合、前記無線端末を前記グループオーナーに決定し、
前記無線端末が、前記グループオーナーに決まったことを表すグループオーナーネゴシエーション確認フレームを、前記外部端末に送信するように、前記ワイファイモジュールを制御し、
前記Ｘ１が前記Ｘ２より小さい場合、前記外部端末から受信されたＩＰアドレスを前記無線端末のＩＰアドレスに割り当てることを特徴とする、請求項１６に記載のＩＰアドレス割当装置。
【請求項１８】
前記制御部は、
前記無線端末が前記グループオーナーに決まった場合、グループオーナーに決まったことを表すグループオーナーネゴシエーション確認フレームに前記ＩＰアドレスを含めて前記グループクライアントに決まった外部端末に送信するように、前記ワイファイモジュールを制御することを特徴とする、請求項１３に記載のＩＰアドレス割当装置。
【請求項１９】
前記制御部は、
前記無線端末が前記グループオーナーに決まった以後に第３の外部端末からプロビジョンディスカバリー要請フレームが受信された場合、ＩＰアドレスを含むプロビジョンディスカバリー応答フレームを、前記第３の外部端末に送信するように、前記ワイファイモジュールを制御することを特徴とする、請求項１３に記載のＩＰアドレス割当装置。
【請求項２０】
ピーツーピー（peer to peer）通信が可能な無線端末のＩＰアドレス割当方法であって、
前記無線端末が、前記ピーツーピー通信が可能な外部端末を探索し、前記探索された少なくとも１つの外部端末と接続するステップと、
前記無線端末が、前記グループオーナーをする意向を表したグループオーナーインテント値及びＩＰアドレスを含むフレームを、前記外部端末と交換するステップと、
前記無線端末が、自身が送信したグループオーナーインテント値（Ｘ１）が前記外部端末から受信されたグループオーナーインテント値（Ｘ２）より大きい場合、自身がグループオーナーに決まったことを表すグループオーナーネゴシエーション確認フレームを、前記外部端末に送信するステップと、
前記無線端末が、前記Ｘ１が前記Ｘ２より小さい場合、前記外部端末から受信されたＩＰアドレスを自身のＩＰアドレスに割り当てるステップと、
を含むことを特徴とする、ＩＰアドレス割当方法。
【請求項２１】
ピーツーピー（peer to peer）通信が可能な無線端末のＩＰアドレス割当方法であって、
前記無線端末が、前記ピーツーピー通信が可能な外部端末を探索し、前記探索された少なくとも１つの外部端末と接続するステップと、
前記無線端末が、前記グループオーナーをする意向を表したグループオーナーインテント値を含むフレームを、前記外部端末と交換するステップと、
前記無線端末が、自身が送信したグループオーナーインテント値（Ｘ１）が前記外部端末から受信されたグループオーナーインテント値（Ｘ２）より大きい場合、自身がグループオーナーに決まったことを表すグループオーナーネゴシエーション確認フレームにＩＰアドレスを含めて前記外部端末に送信するステップと、
前記無線端末が、前記Ｘ１が前記Ｘ２より小さい場合、前記外部端末からＩＰアドレスを含むグループオーナーネゴシエーション確認フレームを受信し、前記受信されたＩＰアドレスを自身のＩＰアドレスに割り当てるステップと、
を含むことを特徴とする、ＩＰアドレス割当方法。
【請求項２２】
ピーツーピー（peer to peer）通信が可能な無線端末のＩＰアドレス割当装置であって、
ＩＰ基盤の無線通信をサポートし、前記ピーツーピー通信でアクセスポイントの機能を実行したり、またはステーションの機能を実行したりするワイファイモジュールと、
私設ＩＰアドレスリストを含む格納部と、
前記ワイファイモジュール及び前記格納部を制御する制御部と、を含み、
前記制御部は、
外部端末を探索し、前記探索された少なくとも１つの外部端末と接続するように制御し、前記私設ＩＰアドレスリストからＩＰアドレスを選択し、グループオーナーインテント値及び前記選択されたＩＰアドレスを含むフレームを、前記外部端末に送信するように制御し、グループオーナーインテント値及びＩＰアドレスを含むフレームを受信するように制御し、前記送信されたグループオーナーインテント値（Ｘ１）が前記受信されたグループオーナーインテント値（Ｘ２）より大きい場合、グループオーナーネゴシエーション確認フレームを前記外部端末に送信するように制御し、前記Ｘ１が前記Ｘ２より小さい場合、前記受信されたＩＰアドレスを前記無線端末のＩＰアドレスに割り当てることを特徴とする、ＩＰアドレス割当装置。
【請求項２３】
ピーツーピー（peer to peer）通信が可能な無線端末のＩＰアドレス割当装置であって、
ＩＰ基盤の無線通信をサポートし、前記ピーツーピー通信でアクセスポイントの機能を実行したり、またはステーションの機能を実行したりするワイファイモジュールと、
私設ＩＰアドレスリストを含む格納部と、
前記ワイファイモジュール及び前記格納部を制御する制御部と、を含み、
前記制御部は、
外部端末を探索し、前記探索された少なくとも１つの外部端末と接続するように制御し、グループオーナーインテント値を含むフレームを前記外部端末と交換するように制御し、前記外部端末に送信されたグループオーナーインテント値（Ｘ１）が前記外部端末から受信されたグループオーナーインテント値（Ｘ２）より大きい場合、前記私設ＩＰアドレスリストからＩＰアドレスを選択し、前記選択されたＩＰアドレスを含むグループオーナーネゴシエーション確認フレームを前記外部端末に送信するように制御し、前記Ｘ１が前記Ｘ２より小さい場合、ＩＰアドレスを含むグループオーナーネゴシエーション確認フレームを前記外部端末から受信するように制御し、前記受信されたＩＰアドレスを前記無線端末のＩＰアドレスに割り当てることを特徴とする、ＩＰアドレス割当装置。
【発明の詳細な説明】
【技術分野】
【０００１】
本発明は無線通信ネットワークにおけるＩＰアドレス割当方法及び装置に関し、特にＡＰ（Access Point）無しで端末の間に直接無線通信する無線通信ネットワークにおける端末間においてＩＰアドレスを割り当てる方法及び装置に関する。
【背景技術】
【０００２】
無線通信技術におけるワイファイダイレクト（Wi-Fi（登録商標：以降においては省略） Direct network）技術はワイファイ端末の間にインフラストラクチャー（infrastructure）ネットワークの媒介体であるアクセスポイント（ＡＰ；Access Point）無しで、互いにピアツーピア（Ｐ２Ｐ；peer to peer；以下、ピーツーピー）接続できるようにする技術である。既存のワイファイ技術は、ＷＬＡＮ（Wireless Local Area Network）ＡＰを通じたインターネット接続のみを目的とすることが大部分であり、端末間の直接通信に対する配慮が足りない実状がある。端末間の直接通信はブルートゥース（Bluetooth（登録商標））技術でも可能である。しかしながら、ブルートゥース技術は、送信距離及び送信速度の面でワイファイダイレクト技術より性能が落ちる。
【０００３】
既存のワイファイ技術にはアドホック（Ad-hoc）モードという端末の間の直接通信が可能なモードをサポートしている。しかしながら、このようなアドホックモードは、保安の脆弱性、電力消耗問題、処理量（throughput）が１１Ｍｂｐｓに制限される点など、さまざまな短所を有しているので、実際にはほとんど使われていない。
【０００４】
ワイファイダイレクト技術は、ＷＡＰ２（Wi-Fi Protected Access（登録商標） 2）をサポートしてセキュリティの脆弱性を補完している。また、ワイファイダイレクト技術は、ＷＳＣ（Wi-Fi Simple Configuration）を用いて端末の間の簡単な接続性をサポートする。また、ワイファイダイレクト技術は、ＩＥＥＥ ８０２．１１ｎをサポートしてアドホックモードと比較して処理量（throughput）を大幅改善し、より向上した電力消耗アルゴリズムを提供する。
【０００５】
ワイファイダイレクト技術は、ＩＥＥＥ ８０２．１１を基盤に作られた規格であって、レガシークライアント（Legacy  client）と互換性がある。ハードウェアを変更しなくても、端末にワイファイダイレクト技術をアップグレードできる。
【０００６】
ワイファイダイレクト技術はブルートゥース及びアドホック技術に比べて前述したように相当な長所を有しているが、端末間の接続速度の改善が必要な状況である。端末は相互接続を完了した以後にＩＰアドレス割当手続きを実行する。即ち、接続が完了した以後にＩＰアドレス割当手続きが追加で実行されるため、接続速度の改善に限界がある。特に、端末のうちのいずれか１つがグループオーナー（ＧＯ；Group Owner）に決定されれば、該当端末はＡＰ機能を実行する。即ち、グループオーナーはＤＨＣＰ（Dynamic Host Configuration Protocol）サーバを駆動してＩＰアドレスを他の端末、即ち、グループクライアント（ＧＣ；Group Client）に割り当てる。
【発明の概要】
【発明が解決しようとする課題】
【０００７】
本発明の目的は、端末間にＩＰアドレスを容易に、かつ速く割り当てることができる方法及び装置を提供することにある。
【０００８】
本発明の他の目的は、ＤＨＣＰサーバを駆動しなくてもＩＰアドレスを割り当てることができる方法及び装置を提供することにある。
【課題を解決するための手段】
【０００９】
本発明におけるＩＰアドレス割当方法は、ピーツーピー（peer to peer）通信が可能な無線端末のＩＰアドレス割当方法において、上記無線端末が、上記ピーツーピー通信が可能な外部端末を探索し、上記探索された少なくとも１つの外部端末と接続するディスカバリー（Discovery）ステップ、及び上記無線端末が、ピーツーピーグループにおいて、上記外部端末がグループオーナー、グループクライアントのいずれとなるかを上記外部端末とネゴシエーションして決定するネゴシエーション（Negotiation）ステップを含み、上記ディスカバリーステップ及び上記ネゴシエーションステップのうちのいずれか１つは、上記無線端末が、上記グループクライアントに割り当てるＩＰアドレスを上記外部端末に送信するステップを含むことを特徴とする。
【００１０】
本発明に従うＩＰアドレス割当装置は、ピーツーピー（peer to peer）通信が可能な無線端末のＩＰアドレス割当装置において、ＩＰ基盤の無線通信をサポートし、上記ピーツーピー通信でアクセスポイントの機能を実行したり、またはステーションの機能を実行したりするワイファイモジュールと、外部端末を探索し、上記探索された少なくとも１つの外部端末と接続するディスカバリー（Discovery）のためのフレーム、及び、上記外部端末が上記アクセスポイントの機能を実行するグループオーナー、上記ステーションの機能を実行するグループクライアントのいずれとなるかを上記外部端末とネゴシエーションして決定するネゴシエーション（Negotiation）のためのフレームを送受信するように上記ワイファイモジュールを制御し、上記ディスカバリーまたは上記ネゴシエーションの中に、上記グループクライアントに割り当てるＩＰアドレスを上記外部端末に送信するように上記ワイファイモジュールを制御する制御部を含むことを特徴とする。
【発明の効果】
【００１１】
本発明は、端末間にＩＰアドレスを容易に、かつ速く割り当てることができる方法及び装置を提供する。本発明は、ＤＨＣＰサーバを駆動しなくてもＩＰアドレスを割り当てることができる。これによって、端末間の接続速度及びユーザビリティ（usability）が向上する効果がある。
【図面の簡単な説明】
【００１２】
【図１】本発明の一実施形態におけるピーツーピーグループを説明するためのネットワーク構成図である。
【図２】本発明の一実施形態におけるピーツーピー接続方法を説明するためのフローチャートである。
【図３】本発明の一実施形態におけるディスカバリーを説明するためのシーケンス図である。
【図４】本発明の一実施形態におけるプロビジョンディスカバリー（Provision Discovery）を説明するための通信シーケンス図である。
【図５】本発明の一実施形態におけるネゴシエーション（Negotiation）手続きを説明するための通信シーケンス図である。
【図６】本発明の他の実施形態におけるネゴシエーション（Negotiation）手続きを説明するための通信シーケンス図である。
【図７】本発明の第１実施形態におけるＩＰアドレス割当方法を説明するためのフローチャートである。
【図８】本発明の第２実施形態におけるＩＰアドレス割当方法を説明するためのフローチャートである。
【図９】本発明の第３実施形態におけるＩＰアドレス割当方法を説明するためのフローチャートである。
【図１０】本発明の第４実施形態におけるＩＰアドレス割当方法を説明するためのフローチャートである。
【図１１】本発明の第５実施形態におけるＩＰアドレス割当方法を説明するためのフローチャートである。
【図１２】本発明におけるグループオーナーネゴシエーション確認フレーム（GO Negotiation Confirmation frame）の例示である。
【図１３】本発明の第６実施形態におけるＩＰアドレス割当方法を説明するための通信シーケンス図である。
【図１４】本発明の一実施形態における携帯端末機の構成図である。
【発明を実施するための形態】
【００１３】
以下、添付した図面を参照して本発明の好ましい実施形態に従ってデバイス探索方法及び装置について詳細に説明する。本発明の詳細な説明の前に、以下で使われる用語や単語は通常的または辞典的な意味に限定して解釈されてはならず、本発明の技術的思想に符合する意味と概念として解釈されなければならない。したがって、以下の説明と添付した図面は本発明の好ましい実施形態に過ぎないものであり、本発明の技術的思想を全て代弁するものではないので、本出願時点においてこれらに代えることができる多様な均等物と変形例がありえることを理解すべきである。また、添付の図面で一部の構成要素は誇張、省略、または概略的に図示され、各構成要素のサイズは実際のサイズを完全に反映するものでない。したがって、本発明は添付した図面に描かれた相対的なサイズや間隔により制限されるものではない。
【００１４】
また、本発明を説明するに当たって、関連した公知機能または構成に対する具体的な説明が本発明の要旨を曖昧にすることができると判断される場合、その詳細な説明を省略する。
【００１５】
本発明において、端末とは、ワイファイダイレクトネットワークにおけるグループオーナー（Group Owner）及びグループクライアント（Group Client）として動作できる、ワイファイダイレクト技術を具備したピーツーピー（Ｐ２Ｐ；peer to peer）デバイスを意味する。
【００１６】
本発明において、ピーツーピー（Ｐ２Ｐ；peer to peer）グループとは、ワイファイダイレクトネットワークにおける１つのグループオーナー（Group Owner）と１つまたはそれ以上のグループクライアント（Group Client）とから構成された１つの端末機セットを意味する。グループクライアントはグループオーナーに接続される。グループオーナーはグループクライアントと通信し、特にグループクライアントの間の通信を中継するＡＰ機能を実行する。
【００１７】
図１は、本発明の一実施形態におけるピーツーピーグループを説明するためのネットワーク構成図である。図１を参照すると、グループオーナーは、多数のグループクライアントと接続可能である。勿論、１つのグループクライアントとも接続可能である。グループオーナーの性能に従って接続が許される（admissive）グループクライアントが決められてもよい。このような性能は、ハードウェア性能でもソフトウェア性能でもよく、例えばバッテリーの充電率でもよい。グループオーナーのバッテリーが８０％以上充電されれば、図示したように、４個のグループクライアントと接続できる。バッテリーの充電率が５０％未満であれば、１つのグループクライアントと接続できる。勿論、このような接続個数は、端末の環境設定においてユーザにより決められてもよい。ピーツーピー（Ｐ２Ｐ；peer to peer）デバイスは、ワイファイダイレクト技術を具備した端末であって、非常に多様であるので、一々列挙することはできないが、例えば、図１に示すように、携帯端末機（例えば、タブレットＰＣ、ノートブックＰＣ）、プリンタ、プロジェクター、及びディジタルＴＶなどであってもよい。
【００１８】
図２は、本発明の一実施形態におけるピーツーピー接続方法を説明するためのフローチャートである。図２を参照すると、まずステップ２１０で、ピーツーピーデバイスは周辺のピーツーピーデバイスを探索し、探索されたピーツーピーデバイスと接続するディスカバリー（Discovery）を実行する。ディスカバリーの目的は、Ｐ２Ｐデバイスを探してＰ２Ｐデバイス相互間にできる限り速く接続できるようにするものである。ディスカバリーは、デバイスディスカバリー及びプロビジョン（provision）ディスカバリーを含む。デバイスディスカバリーは大別して２ステップ、即ちスキャン（Scan）ステップと発見（find）ステップとから構成される。デバイスディスカバリーは、デバイス相互間の情報交換のためにプローブ要請フレーム（probe request frame）及びプローブ応答フレーム（probe response frame）を使用する。ピーツーピーデバイスは自身がグループオーナーであるか、またはリッスン状態（Listen State）であれば、他のピーツーピーデバイスから受信されたプローブ要請フレームに応答（response）することができる。また、ピーツーピーデバイスは自身がグループオーナーであれば、ビーコンフレーム（beacon frame）を送信することができる。ピーツーピーデバイスはグループに属しないと、リッスン状態としてもよい。即ち、リッスン状態であるピーツーピーデバイスは、受信されたプローブ要請フレームに対して応答する。
【００１９】
リッスン状態であるピーツーピーデバイスは、ソーシャルチャンネルリスト（Social Channel List）からリッスンチャンネル（Listen channel）を選択する。例えば、ワイファイアライアンスのテクニカルコミッティー（Wi-Fi Alliance Technical Committee）が定めたワイファイピーツーピー技術規格書（Wi-Fi P2P Technical Specification）によれば、２．４GHｚバンドでチャンネル１、６、及び１１をソーシャルチャンネル（Social Channel）として使用できる。例えば、チャンネル１が選択されれば、ピーツーピーデバイスは、チャンネル１を通じてプローブ要請フレームを受信することができるが、他のチャンネルを通じてはプローブ要請フレームを受信することができない。このようなリッスンチャンネル（Listen channel）は、デバイスディスカバリーが始まる時に選択されて、ディスカバリーが完了する時まで維持されるとよい。また、リッスンチャンネルは予め定まった時間が経過すれば、他のチャンネルに変更されてもよい。ＩＥＥＥ ８０２．１１では、２．４GHｚ帯域が使われ、総１４個のチャンネルがある。チャンネル間の間隔（interval）は５MHｚであり、それぞれのチャンネルは２２MHｚの帯域（band）を有する。それぞれのチャンネルは互いに独立ではなく、重畳される。しかしながら、１４個のチャンネルのうちの３個、例えば、チャンネル１、６、及び１１は相互間にチャンネル干渉（Channel Interference）をしない。
【００２０】
デバイスディスカバリー（Discovery）におけるスキャンステップは、ピーツーピーデバイスまたはピーツーピーグループを探すステップである。また、スキャンステップは、ピーツーピーグループを設定することに最も適したチャンネルを探すステップである。即ち、スキャンステップにおいて、ピーツーピーデバイスは、サポートされる全てのチャンネルをスキャンして周辺のデバイスまたはネットワークから情報を収集する。スキャンステップにおいて、ピーツーピーデバイスは、プローブ要請フレームに対して応答しないことがある。
【００２１】
デバイスディスカバリー（Discovery）における発見（find）ステップは、同一チャンネルに存在するピーツーピーデバイスがメッセージを送受信して互いを発見するステップである。リッスン状態において、ピーツーピーデバイスは、プローブ要請フレームの受信を待つ。プローブ要請フレームが受信されれば、プローブ応答フレームを相手方のピーツーピーデバイスに送信する。ピーツーピーデバイスは、リッスン状態から検索状態（Search State）に変更できる。検索状態において、ピーツーピーデバイスは、プローブ要請フレームを送信し、これに応答して相手方のピーツーピーデバイスが送信したプローブ応答フレームを受信する。プローブ応答フレームには、デバイスネーム（Device Name）、デバイス属性情報、ベンダ（vendor）情報などを含まれる。ピーツーピーデバイスは、このような情報をユーザが確認することができるように表示してもよい。
【００２２】
デバイスディスカバリーを通じて互いに探索されたピーツーピーデバイスは、互いに接続が可能である。まず、ピーツーピーデバイスは、接続を希望する相手方のピーツーピーデバイスとプロビジョンディスカバリーを実行する。プロビジョンディスカバリーは、ピーツーピーデバイスがＷＳＣ（Wi-Fi Simple Configuration）のＰＩＮ（Personal Identification Number）モード、またはＰＢＣ（Push Button Configuration）モードを通じて相手方のピーツーピーデバイスと接続を試行する時、このような接続試行をユーザに知らせるものである。ピーツーピーデバイスは、プロビジョンディスカバリーのためのプロビジョンディスカバリー要請フレーム（Provision Discovery Request frame）を受信し、ポップアップなどを通じてユーザにメッセージの内容を知らせる。このようなポップアップには、デバイス名などのようなプロビジョンディスカバリーを要請したピーツーピーデバイスの情報が含まれる。要請を受けたピーツーピーデバイスのユーザは、接続を許可するか否か、及びＷＳＣ（Wi-Fi Simple Configuration）などを決定する。ピーツーピーデバイスは接続を許可するか否かなどを相手方のピーツーピーデバイスに知らせるために、プロビジョンディスカバリー応答フレーム（Provision Discovery Response frame）を相手方のピーツーピーデバイスに送信する。
【００２３】
プロビジョンディスカバリーが完了すれば、ステップ２２０において、ピーツーピーデバイスは、担当する機能を相手方のピーツーピーデバイスとネゴシエーション（Negotiation）する手続きを実行する。この手続きにおいて、グループオーナーに決まったピーツーピーデバイスはＡＰの機能を実行し、グループクライアントに決まったピーツーピーデバイスはステーション（station）の機能を実行する。特に、本発明によれば、この手続きにおいて、グループクライアントはグループオーナーからＩＰアドレスの割当を受ける。このようなＩＰアドレスは、ローカル領域、即ち、該当ピーツーピーグループの内で使用可能な私設（private）ＩＰアドレスであってもよい。ピーツーピーデバイスは、私設ＩＰアドレスリストを格納する。例えば、私設ＩＰアドレスは“１６５．２１３．３０．２〜２５４”であるとよい。ピーツーピーグループに含まれるピーツーピーデバイスは、グループオーナーを決定するためにメッセージを送受信する。この際、このようなメッセージには、私設ＩＰアドレスが含まれてもよい。即ち、ピーツーピーデバイスは、私設ＩＰアドレスリストから任意の私設ＩＰアドレスを選択し、選択された私設ＩＰアドレスを上記メッセージに含めて他のピーツーピーデバイスに送信することができる。ピーツーピーグループでグループクライアントに決まったピーツーピーデバイスは、受信された私設ＩＰアドレスを自身のＩＰアドレスに設定する。
【００２４】
機能ネゴシエーションが完了すれば、ステップ２３０において、ピーツーピーデバイスは、ピーツーピー通信に必要な情報、例えば、ネットワークキー（network key）、暗号化タイプ（encryption type）、ＳＳＩＤ（Service Set Identification）、認証タイプ（Authentication type）などを相手方のピーツーピーデバイスと交換してピーツーピー接続を完了する。
【００２５】
図３は、本発明の一実施形態におけるデバイスディスカバリー（Device Discovery）を説明するためのシーケンス図である。図３を参照すると、第１ピーツーピーデバイス３１０及び第２ピーツーピーデバイス３２０がデバイスディスカバリーに参加することと仮定する。ステップ３１１において、第１ピーツーピーデバイス３１０のユーザは、ピーツーピー接続を第１ピーツーピーデバイス３１０に命令する。即ち、ユーザはピーツーピー接続のために、第１ピーツーピーデバイス３１０に備えられた入力部、例えばタッチスクリーンを操作する。すると、タッチスクリーンは入力されたタッチイベントをデバイスの制御部に伝達する。制御部は、入力されたタッチイベントからピーツーピー接続、即ちデバイスディスカバリーの命令を検出する。ステップ３１２において、第１ピーツーピーデバイス３１０は、デバイスディスカバリーの命令に応答して、まずスキャンを実行する。例えば、第１ピーツーピーデバイス３１０は、ＩＥＥＥ ８０２．１１のチャンネル１、６、及び１１をスキャンして周辺のピーツーピーデバイスから情報を収集する。スキャン完了後、第１ピーツーピーデバイス３１０は発見（find）ステップを実行する。一方、ステップ３２１において、第２ピーツーピーデバイス３２０のユーザは、ディスカバリーの実行を第１ピーツーピーデバイス３１０に命令する。これによって、ステップ３２２で、第２ピーツーピーデバイス３２０はユーザの命令に応答して、まずスキャンを実行する。スキャン完了後、第２ピーツーピーデバイス３２０は、発見（find）ステップを実行する。
【００２６】
ステップ３１３において、第１ピーツーピーデバイス３１０は、リッスン状態に入る。第１ピーツーピーデバイス３１０は、リッスンチャンネル（Listen channel）に、例えばチャンネル１を選択する。予め定まった時間が経過すれば、ステップ３１４において、第１ピーツーピーデバイス３２０は、検索状態（Search state）に入る。検索状態である第１ピーツーピーデバイス３１０は、まずチャンネル１を選択してプローブ要請フレームを送信する。応答がなければ第１ピーツーピーデバイス３１０は、チャンネル６を選択してプローブ要請フレームを送信する。この際、第２ピーツーピーデバイス３２０は、チャンネル６に対してリッスン状態である。したがって、第２ピーツーピーデバイス３２０は、チャンネル６を通じてプローブ要請フレームを受信し、これに対する応答としてチャンネル６を通じてプローブ応答フレームを送信する。第１ピーツーピーデバイス３１０は、チャンネル６を通じてプローブ応答フレームを受信する。そして、ステップ３１５において、第１ピーツーピーデバイス３１０は、プローブ応答フレームの情報、例えば、デバイス名、デバイス属性情報、ベンダ情報などをユーザが確認することができるように表示する。ユーザは、このような情報を見て接続を許可するか否かを決定することができる。
【００２７】
図４は、本発明の一実施形態におけるプロビジョンディスカバリー（Provision Discovery）を説明するための通信シーケンス図である。図４を参照すると、第１ピーツーピーデバイス４１０及び第２ピーツーピーデバイス４２０が、プロビジョンディスカバリーに参加することと仮定する。デバイスディスカバリーを通じて互いに探索された第１ピーツーピーデバイス４１０と第２ピーツーピーデバイス４２０とは、互いに接続が可能である。第１ピーツーピーデバイス４１０のユーザは、接続の許可を第１ピーツーピーデバイス４１０に命令する。例えば、ユーザは、第２ピーツーピーデバイス４２０との接続のために、第１ピーツーピーデバイス４１０に備えられた入力部、例えばタッチスクリーンを操作する。すると、タッチスクリーンは入力されたタッチイベントをデバイスの制御部に伝達する。制御部は、入力されたタッチイベントから接続許可、即ちプロビジョンディスカバリーの命令を検出する。
【００２８】
プロビジョンディスカバリーの命令に応答して、ステップ４０１において、第１ピーツーピーデバイス４１０が先にプロビジョンディスカバリー要請フレームを第２ピーツーピーデバイス４２０に送信する。この際、本発明によれば、プロビジョンディスカバリー要請フレームには、ＩＰアドレスが含まれる。プロビジョンディスカバリー要請フレームに含まれるＩＰアドレスは、私設ＩＰアドレスであってもよい。特に、プロビジョンディスカバリー要請フレームに含まれる私設ＩＰアドレスは、“１６５．２１３．３０．２〜２５４”のうちの１つであるとよい。
【００２９】
次に、ステップ４０２において、第２ピーツーピーデバイス４２０は、プロビジョンディスカバリー要請フレームの受信に応答してプロビジョンディスカバリー応答フレームを第１ピーツーピーデバイス４１０に送信する。この際、本発明によれば、プロビジョンディスカバリー応答フレームには、ＩＰアドレス、特に、私設ＩＰアドレスが含まれてもよい。
【００３０】
図５は、本発明の一実施形態におけるネゴシエーション（Negotiation）手続きを説明するための通信シーケンス図である。図５を参照すると、第１ピーツーピーデバイス５１０と第２ピーツーピーデバイス５２０とは、共に、ディスカバリーを実行して互いを発見した状態である。ステップ５１０において、第１ピーツーピーデバイス５１０は、グループオーナーネゴシエーション要請フレーム（GO Negotiation Request frame）を第２ピーツーピーデバイス５２０に送信する。本発明によれば、グループオーナーネゴシエーション要請フレームは、ピーツーピー情報（P2P Information Element（ＩＥ））、ＷＳＣ情報（ＩＥ）、及びＩＰアドレスを含む。
【００３１】
グループオーナーネゴシエーション要請フレームに含まれるＩＰアドレスは、私設ＩＰアドレスであってもよい。特に、グループオーナーネゴシエーション要請フレームに含まれる私設ＩＰアドレスは、“１６５．２１３．３０．２〜２５４”のうちの１つであるとよい。
【００３２】
即ち、第１ピーツーピーデバイス５１０は、格納された私設ＩＰアドレスリストから１つを任意に選択し、選択された私設ＩＰアドレスをグループオーナーネゴシエーション要請フレームに含めて送信することができる。但し、例えば“１６５．２１３．３０．２〜１０”は、第３のピーツーピーデバイスに割り当てられる領域であって、上記選択から除外できる。ここで、第３のピーツーピーデバイスとは、ネゴシエーション（Negotiation）が完了した後、ピーツーピーグループにピーツーピークライアントとして加入を要請するピーツーピーデバイスを意味する。即ち、グループオーナーに決まったピーツーピーデバイスは“１６５．２１３．３０．２〜１０”のうちから１つを第３のピーツーピーデバイスに割り当てることができる。
【００３３】
グループオーナーネゴシエーション要請フレームに含まれるピーツーピー情報は、デバイス情報、設定タイムアウト（Configuration Timeout）、リッスンチャンネル（Listen Channel）、リッスンチャンネルリスト、及びグループオーナーインテント（Group Owner Intent；ＧＯＩ）などを含んでもよい。ここで、グループオーナーインテントとは、該当メッセージを送信したピーツーピーデバイス、即ち第１ピーツーピーデバイス５１０がグループオーナーをする意向を数値として表した値である。即ち、ＧＯＩの値が大きいピーツーピーデバイスは、グループオーナーに決まる可能性が大きい。ＧＯＩの範囲は、予め設定されてもよい。例えば、０〜１５までをＧＯＩの範囲としてもよい。ピーツーピーデバイスは、自身の性能に基づいて上記ＧＯＩ範囲で値を選択し、選択された値をグループオーナーネゴシエーション要請フレームに含めて送信することができる。例えば、ピーツーピーデバイスは、自身がノートブックＰＣと外部商用電源から電源供給を受けている状態であれば、ＧＯＩを１５に選択することができる。
【００３４】
第２ピーツーピーデバイス５２０は、第１ピーツーピーデバイス５１０からグループオーナーネゴシエーション要請フレームを受信し、これに応答してステップ５０２において、グループオーナーネゴシエーション応答フレームを送信する。本発明によれば、グループオーナーネゴシエーション応答フレームは、ピーツーピー情報（P2P Information Element（ＩＥ））、ＷＳＣ情報（ＩＥ）、及びＩＰアドレスを含む。
【００３５】
グループオーナーネゴシエーション応答フレームに含まれるＩＰアドレスは、前述したように、私設ＩＰアドレスであってもよい。特に、グループオーナーネゴシエーション応答フレームに含まれる私設ＩＰアドレスは、“１６５．２１３．３０．２〜２５４”のうちの１つであるとよい。但し、“１６５．２１３．３０．２〜１０”は前述したような理由により除外できる。また、グループオーナーネゴシエーション応答フレームに含まれるピーツーピー情報は、デバイス情報、設定タイムアウト（Configuration Timeout）、リッスンチャンネル（Listen Channel）、リッスンチャンネルリスト、及びグループオーナーインテント（Group Owner Intent；ＧＯＩ）などを含んでもよい。
【００３６】
以上、第１ピーツーピーデバイス５１０及び第２ピーツーピーデバイス５２０は、グループオーナーインテント（ＧＯＩ）を交換して、グループオーナーを決定する。例えば、第１ピーツーピーデバイス５１０が選択したＧＯＩの値が１０であり、第２ピーツーピーデバイス５２０が選択したＧＯＩの値が５であれば、第１ピーツーピーデバイス５１０がグループオーナーに決まり、第２ピーツーピーデバイス５２０がグループクライアントに決まる。したがって、第１ピーツーピーデバイス５１０は、該当ピーツーピーグループの内でＡＰの機能を実行し、第２ピーツーピーデバイス５２０は、該当ピーツーピーグループの内でステーション（station）の機能を実行する。また、第２ピーツーピーデバイス５２０は、第１ピーツーピーデバイス５１０がグループオーナーに決まったので、第１ピーツーピーデバイス５１０から受信したＩＰアドレスを自身のＩＰアドレスに割り当てる。
【００３７】
一方、ステップ５０３において、第１ピーツーピーデバイス５１０は、自身のグループオーナーに決まったことを知らせるために、第２ピーツーピーデバイス５２０にグループオーナーネゴシエーション確認フレーム（Group Owner（ＧＯ）Negotiation Confirmation Frame）を送信する。
【００３８】
図６は、本発明の他の実施形態におけるネゴシエーション（Negotiation）手続きを説明するための通信シーケンス図である。図６を参照すると、第１ピーツーピーデバイス６１０と第２ピーツーピーデバイス６２０とは、共に、ディスカバリーを実行して互いを発見した状態である。ステップ６１０において、第１ピーツーピーデバイス６１０は、グループオーナーネゴシエーション要請フレーム（GO Negotiation Request frame）を第２ピーツーピーデバイス６２０に送信する。本発明によれば、グループオーナーネゴシエーション要請フレームは、ピーツーピー情報（P2P Information Element（ＩＥ））及びＷＳＣ情報（ＩＥ）を含む。グループオーナーネゴシエーション要請フレームに含まれるピーツーピー情報は、デバイス情報、設定タイムアウト（Configuration Timeout）、リッスンチャンネル（Listen Channel）、リッスンチャンネルリスト、及びグループオーナーインテント（Group Owner Intent；ＧＯＩ）などを含んでもよい。ここで、グループオーナーインテントは、該当メッセージを送信したピーツーピーデバイス、即ち第１ピーツーピーデバイス６１０がグループオーナーをする意向を数値として表した値である。ＧＯＩに対しては先に詳細に説明した。
【００３９】
第２ピーツーピーデバイス６２０は、第１ピーツーピーデバイス６１０からグループオーナーネゴシエーション要請フレームを受信し、これに応答してステップ６０２において、グループオーナーネゴシエーション応答フレームを送信する。ここで、グループオーナーネゴシエーション応答フレームは、ピーツーピー情報（P2P Information Element（ＩＥ））及びＷＳＣ情報（ＩＥ）を含む。
【００４０】
以上、第１ピーツーピーデバイス６１０及び第２ピーツーピーデバイス６２０は、グループオーナーインテント（ＧＯＩ）を交換して、グループオーナーを決定する。例えば、第１ピーツーピーデバイス６１０が選択したＧＯＩの値が第２ピーツーピーデバイス６２０のものより大きい場合、第１ピーツーピーデバイス６１０がグループオーナーに決められるとよい。これによって、第１ピーツーピーデバイス６１０は、該当ピーツーピーグループの内でＡＰの機能を実行し、第２ピーツーピーデバイス６２０は、該当ピーツーピーグループの内でステーション（station）の機能を実行する。
【００４１】
一方、ステップ６０３において、第１ピーツーピーデバイス６１０は、自身のグループオーナーに決まったことを知らせるために、第２ピーツーピーデバイス６２０にグループオーナーネゴシエーション確認フレーム（Group Owner（ＧＯ）Negotiation Confirmation Frame）を送信する。特に、本発明によれば、グループオーナーネゴシエーション確認フレームには、ＩＰアドレスが含まれるとよい。ここで、ＩＰアドレスは、前述したように、私設ＩＰアドレスであってもよい。第２ピーツーピーデバイス６２０は、グループオーナーに決まった第１ピーツーピーデバイス６１０から受信したＩＰアドレスを自身のＩＰアドレスに割り当てる。
【００４２】
以下、図７乃至図１３を参照して、本発明におけるＩＰアドレス割当方法の多様な実施形態を説明する。勿論、本発明のＩＰアドレス割当方法が以下の実施形態に限定されるものではないことを明らかにしておく。説明の前に、便宜上、ネゴシエーション（Negotiation）に参加したピーツーピーデバイスは、第１ピーツーピーデバイスと第２ピーツーピーデバイスに限定して説明する。また、図７乃至図９における説明での主体は、第１ピーツーピーデバイスであることを明らかにしておく。
【００４３】
図７は、本発明の第１実施形態におけるＩＰアドレス割当方法を説明するためのフローチャートである。図７を参照すると、ステップ７０１において、第１ピーツーピーデバイスは、予め設定されたＧＯＩ範囲（例えば、０〜１５）でＧＯＩの値（Ｘ１）を選択する。そして、ステップ７０１において、第１ピーツーピーデバイスは、私設ＩＰアドレスリストから任意のＩＰアドレスを選択する。ステップ７０２において、第１ピーツーピーデバイスは、選択されたＧＯＩ値（Ｘ１）とＩＰアドレスを第２ピーツーピーデバイスに送信する。この際、Ｘ１とＩＰアドレスは、グループオーナーネゴシエーション要請フレームまたはグループオーナーネゴシエーション応答フレームに含まれて送信されてもよい。ステップ７０３において、第１ピーツーピーデバイスは、第２ピーツーピーデバイスからＧＯＩ値（Ｘ２）とＩＰアドレスを受信する。ここで、ＧＯＩ値（Ｘ２）とＩＰアドレスが既に受信されている場合、ステップ７０３は、省略される。
【００４４】
ステップ７０４において、第１ピーツーピーデバイスは、送信されたＧＯＩ値（Ｘ１）と受信されたＧＯＩ値（Ｘ２）とが同一か否かを判定する。２つの値が同一であればネゴシエーション（Negotiation）は失敗（fail）したものとする。したがって、第１ピーツーピーデバイスと第２ピーツーピーデバイスとは、ＧＯＩ値の交換を再実行することができる。この際、ＩＰアドレスの交換もまた実行することができる。または、ＩＰアドレスの交換は、再度実行しないようにすることもできる。
【００４５】
送信されたＧＯＩ値（Ｘ１）と受信されたＧＯＩ値（Ｘ２）とが同一でなければ、ステップ７０５において、第１ピーツーピーデバイスは、Ｘ２がＸ１より大きいか否かを判定する。Ｘ２が大きければ、ステップ７０６において、第１ピーツーピーデバイスは、自身をグループクライアントに決定する。また、ステップ７０７において、第１ピーツーピーデバイスは、受信されたＩＰアドレスを自身のＩＰアドレスに割り当てる。これによって、第１ピーツーピーデバイスは、ステーションの機能を実行できるようになる。一方、第２ピーツーピーデバイスは、自身をグループオーナーに決定する。これによって、第２ピーツーピーデバイスはＡＰの機能を実行できるようになる。
【００４６】
Ｘ１がＸ２より大きければ、ステップ７０８において、第１ピーツーピーデバイスは、自身をグループオーナーに決定する。そして、第２ピーツーピーデバイスは、自身をグループクライアントに決定する。
【００４７】
図８は、本発明の第２実施形態におけるＩＰアドレス割当方法を説明するためのフローチャートである。図８を参照すると、ステップ８０１において、第１ピーツーピーデバイスは、予め設定されたＧＯＩ範囲（例えば、０〜１５）でＧＯＩの値（Ｘ１）を選択する。ステップ８０２において、第１ピーツーピーデバイスは、選択されたＧＯＩ値（Ｘ１）を第２ピーツーピーデバイスに送信する。この際、Ｘ１はグループオーナーネゴシエーション要請フレームまたはグループオーナーネゴシエーション応答フレームに含まれて送信されてもよい。ステップ８０３において、第１ピーツーピーデバイスは、第２ピーツーピーデバイスからＧＯＩ値（Ｘ２）を受信する。ここで、ＧＯＩ値（Ｘ２）が既に受信されている場合、ステップ８０３は、省略される。
【００４８】
ステップ８０４において、第１ピーツーピーデバイスは、送信されたＧＯＩ値（Ｘ１）と受信されたＧＯＩ値（Ｘ２）とが同一か否かを判定する。２つの値が同一であれば、ネゴシエーション（Negotiation）は失敗（fail）したものとする。したがって、第１ピーツーピーデバイスと第２ピーツーピーデバイスとは、ＧＯＩ値の交換を再実行することができる。
【００４９】
送信されたＧＯＩ値（Ｘ１）と受信されたＧＯＩ値（Ｘ２）とが同一でなければ、ステップ８０５において、第１ピーツーピーデバイスは、Ｘ２がＸ１より大きいか否かを判定する。Ｘ２が大きければ、ステップ８０６において、第１ピーツーピーデバイスは、自身をグループクライアントに決定する。そして、ステップ８０７において、第１ピーツーピーデバイスは、第２ピーツーピーデバイスからＩＰアドレスを受信し、受信されたＩＰアドレスを自身のＩＰアドレスに割り当てる。ＩＰアドレスは、グループオーナーネゴシエーション確認フレームに含まれて受信されてもよい。
【００５０】
Ｘ１がＸ２より大きければ、ステップ８０８において、第１ピーツーピーデバイスは、自身をグループオーナーに決定する。そして、ステップ８０９において、第１ピーツーピーデバイスは、私設ＩＰアドレスリストから任意のＩＰアドレスを選択し、選択されたＩＰアドレスを第２ピーツーピーデバイスに送信する。
【００５１】
図９は、本発明の第３実施形態におけるＩＰアドレス割当方法を説明するためのフローチャートである。図９を参照すると、ステップ９０１において、第１ピーツーピーデバイスは、予め設定されたＧＯＩ範囲（例えば、０〜１５）でＧＯＩの値（Ｘ１）を選択する。そして、ステップ９０１において、第１ピーツーピーデバイスは、私設ＩＰアドレスリストから任意のＩＰアドレスを選択する。また、ステップ９０１において、第１ピーツーピーデバイスはタイブレーカーの値（Ｔ１）を選択する。ここで、タイブレーカーはＧＯＩの値が衝突（即ち、同一）する時、グループオーナーを決定するために使われる値である。タイブレーカーの値は予め定まった範囲で昇順または降順に定められるとよい。例えば、第１ピーツーピーデバイスがタイブレーカーの値に‘０’を先取りした場合、第２ピーツーピーデバイスは、その次の値である‘１’をタイブレーカーの値として選択することができる。
【００５２】
ステップ９０２において、第１ピーツーピーデバイスは、選択されたＸ１、Ｔ１、及びＩＰアドレスを第２ピーツーピーデバイスに送信する。ここで、Ｘ１、Ｔ１、及びＩＰアドレスは、グループオーナーネゴシエーション要請フレームまたはグループオーナーネゴシエーション応答フレームに含まれて送信されてもよい。この際、Ｔ１は、グループオーナーネゴシエーション要請フレームまたはグループオーナーネゴシエーション応答フレームに含まれて送信されないこともある。即ち、２つのピーツーピーデバイスの間でタイブレーカーの交換は、なされないこともある。言い換えると、２つのピーツーピーデバイスのうち、要請フレームが送った方がタイブレーカーの値を先取りするため、タイブレーカーの交換は、必要でないことがある。
【００５３】
ステップ９０３において、第１ピーツーピーデバイスは、第２ピーツーピーデバイスからＸ２、Ｔ２、及びＩＰアドレスを受信する。ここで、Ｘ２、Ｔ２、及びＩＰアドレスが既に受信されている場合、ステップ９０３は、省略される。また、Ｔ２は受信されないこともある。
【００５４】
ステップ９０４において、第１ピーツーピーデバイスは、Ｘ１とＸ２とが同一か否かを判定する。２つの値が同一でなければ、ステップ９０５において、第１ピーツーピーデバイスは、Ｘ２がＸ１より大きいか否かを判定する。Ｘ２が大きければ、ステップ９０６において、第１ピーツーピーデバイスは、自身をグループクライアントに決定する。そして、第２ピーツーピーデバイスは、自身をグループオーナーに決定する。ステップ９０７において、第１ピーツーピーデバイスは、受信されたＩＰアドレスを自身のＩＰアドレスに割り当てる。
【００５５】
Ｘ１がＸ２より大きければ、ステップ９０８において、第１ピーツーピーデバイスは、自身をグループオーナーに決定する。そして、第２ピーツーピーデバイスは、自身をグループクライアントに決定する。
【００５６】
Ｘ１とＸ２とが同一であれば、ステップ９０９において、第１ピーツーピーデバイスは、Ｘ１とＸ２が１５（ここで、１５はＧＯＩの範囲で最大値に設定された値である）より小さい否かを判定する。Ｘ１とＸ２は全て１５であれば、ＧＯＩ値の交換を再実行できる。勿論、Ｘ１とＸ２とが両方とも１５であっても、ステップ９１０に進んでもよい。即ち、ステップ９０９は、省略できるステップである。
【００５７】
Ｘ１とＸ２が１５より小さければ、ステップ９１０において、第１ピーツーピーデバイスは、Ｔ１とＴ２を比較し、その結果に基づいて自身の機能を決定する。即ち、Ｔ１がＴ２より大きければ、第１ピーツーピーデバイスがグループオーナーに、第２ピーツーピーデバイスがグループクライアントに決まるとよい。または、その反対に、第１ピーツーピーデバイスがグループクライアントに、第２ピーツーピーデバイスがグループオーナーに決まることもある。
【００５８】
Ｔ１とＴ２との比較結果を通じて第１ピーツーピーデバイスがグループクライアントに決まった場合、ステップ９１１において、第１ピーツーピーデバイスは、受信されたＩＰアドレスを自身のＩＰアドレスに割り当てる。第１ピーツーピーデバイスがグループオーナーに決まった場合、ステップ９１１は、省略される。
【００５９】
図１０は、本発明の第４実施形態におけるＩＰアドレス割当方法を説明するためのフローチャートである。図１０を参照すると、ステップ１００１において、第１ピーツーピーデバイスは、予め設定されたＧＯＩ範囲（例えば、０〜１５）でＧＯＩの値（Ｘ１）を選択する。そして、ステップ１００１において、第１ピーツーピーデバイスは、タイブレーカーの値（Ｔ１）を選択する。タイブレーカーの値は予め定まった範囲で昇順または降順に定められるとよい。
【００６０】
ステップ１００２において、第１ピーツーピーデバイスは、選択されたＸ１及びＴ１を第２ピーツーピーデバイスに送信する。ここで、Ｘ１及びＴ１は、グループオーナーネゴシエーション要請フレームまたはグループオーナーネゴシエーション応答フレームに含まれて送信されてもよい。この際、Ｔ１は、グループオーナーネゴシエーション要請フレームまたはグループオーナーネゴシエーション応答フレームに含まれて送信されないこともある。即ち、２つのピーツーピーデバイスの間にタイブレーカーの交換はなされないこともある。
【００６１】
ステップ１００３において、第１ピーツーピーデバイスは、第２ピーツーピーデバイスからＸ２及びＴ２を受信する。ここで、Ｘ２及びＴ２が既に受信されている場合、ステップ１００３は、省略される。また、Ｔ２は受信されないこともある。
【００６２】
ステップ１００４において、第１ピーツーピーデバイスは、Ｘ１とＸ２とが同一か否かを判定する。２つの値が同一でなければ、ステップ１００５において、第１ピーツーピーデバイスは、Ｘ２がＸ１より大きいか否かを判定する。Ｘ２が大きければ、ステップ１００６において、第１ピーツーピーデバイスは、自身をグループクライアントに決定する。そして、第２ピーツーピーデバイスは、自身をグループオーナーに決定する。ステップ１００７において、第１ピーツーピーデバイスは、第２ピーツーピーデバイスからＩＰアドレスを受信し、受信されたＩＰアドレスを自身のＩＰアドレスに割り当てる。ＩＰアドレスは、グループオーナーネゴシエーション確認フレームに含まれて受信されてもよい。
【００６３】
Ｘ１がＸ２より大きければ、ステップ１００８において、第１ピーツーピーデバイスは、自身をグループオーナーに決定する。そして、第２ピーツーピーデバイスは、自身をグループクライアントに決定する。そして、ステップ１００９において、第１ピーツーピーデバイスは、私設ＩＰアドレスリストから任意のＩＰアドレスを選択し、選択されたＩＰアドレスを第２ピーツーピーデバイスに送信する。
【００６４】
Ｘ１とＸ２とが同一であれば、ステップ１０１０において、第１ピーツーピーデバイスは、Ｘ１とＸ２が１５より小さいか否かを判定する。Ｘ１とＸ２は両方とも１５であれば、ＧＯＩ値の交換を再実行できる。勿論、Ｘ１とＸ２とが両方とも１５であっても、ステップ１０１１に進んでもよい。即ち、ステップ１０１０は、省略できるステップである。
【００６５】
Ｘ１とＸ２が１５より小さければ、ステップ１０１１において、第１ピーツーピーデバイスは、Ｔ１とＴ２とを比較し、その結果に基づいて自身の機能を決定する。即ち、Ｔ１がＴ２より大きければ、第１ピーツーピーデバイスがグループオーナーに、第２ピーツーピーデバイスがグループクライアントに決まるとよい。または、その反対に、第１ピーツーピーデバイスがグループクライアントに、第２ピーツーピーデバイスがグループオーナーに決まることもある。
【００６６】
Ｔ１とＴ２との比較結果を通じて第１ピーツーピーデバイスがグループクライアントに決まった場合、ステップ１０１２において、第１ピーツーピーデバイスは、受信されたＩＰアドレスを自身のＩＰアドレスに割り当てる。一方、第１ピーツーピーデバイスがグループオーナーに決まった場合、ステップ１０１２において、第１ピーツーピーデバイスは私設ＩＰアドレスリストから任意のＩＰアドレスを選択して第２ピーツーピーデバイスに送信する。
【００６７】
図１１は、本発明の第５実施形態におけるＩＰアドレス割当方法を説明するためのフローチャートである。図１１を参照すると、ステップ１１０１において、第１ピーツーピーデバイスは、予め設定されたＧＯＩ範囲（例えば、０〜１５）でＧＯＩの値（Ｘ１）を選択する。ステップ１１０２において、第１ピーツーピーデバイスは、選択されたＧＯＩ値（Ｘ１）を第２ピーツーピーデバイスに送信する。この際、Ｘ１とＩＰアドレスは、グループオーナーネゴシエーション要請フレームまたはグループオーナーネゴシエーション応答フレームに含まれて送信されてもよい。ステップ１１０３において、第１ピーツーピーデバイスは、第２ピーツーピーデバイスからＧＯＩ値（Ｘ２）を受信する。ここで、ＧＯＩ値（Ｘ２）が既に受信されている場合、ステップ１１０３は、省略される。
【００６８】
ステップ１１０４において、第１ピーツーピーデバイスは、送信されたＧＯＩ値（Ｘ１）と受信されたＧＯＩ値（Ｘ２）とが同一か否かを判定する。２つの値が同一であれば、第１ピーツーピーデバイスと第２ピーツーピーデバイスとは、ＧＯＩ値の交換を再実行することができる。
【００６９】
送信されたＧＯＩ値（Ｘ１）と受信されたＧＯＩ値（Ｘ２）とが同一でなければ、ステップ１１０５において、第１ピーツーピーデバイスは、Ｘ２がＸ１より大きいか否かを判定する。Ｘ２が大きければ、ステップ１１０６において、第１ピーツーピーデバイスは、自身をグループクライアントに決定する。また、ステップ１１０７において、第１ピーツーピーデバイスは、第２ピーツーピーデバイスから受信されたＩＰアドレスを自身のＩＰアドレスに割り当てる。ここで、ＩＰアドレスは、例えばプロビジョンディスカバリーを通じて第２ピーツーピーデバイスから受信されたものである。一方、第２ピーツーピーデバイスは、自身をグループオーナーに決定する。
【００７０】
Ｘ１がＸ２より大きければ、ステップ１１０８において、第１ピーツーピーデバイスは、自身をグループオーナーに決定する。そして、第２ピーツーピーデバイスは、自身をグループクライアントに決定する。
【００７１】
図１２は、本発明におけるグループオーナーネゴシエーション確認フレーム（GO Negotiation Confirmation frame）の例示である。図１１を参照すると、グループオーナーネゴシエーション確認フレームは、ベンダ情報（Vendor Specific）１２１０を含むことができる。そして、ベンダ情報１２１０は、私設ＩＰアドレス１２２０、例えば、“１６５．２１３．３０．３３”を含むことができる。即ち、ピーツーピーデバイスは、“１６５．２１３．３０．２〜２５４”のうちから１つを選択し、選択されたＩＰアドレスをグループオーナーネゴシエーション確認フレームに含めて相手方のピーツーピーデバイスに送信することができる。勿論、ピーツーピーデバイスは、選択されたＩＰアドレスをグループオーナーネゴシエーション要請フレームまたはグループオーナーネゴシエーション応答フレームに含めて相手方のピーツーピーデバイスに送信することもできる。一方、“１６５．２１３．３０．２〜１０”は第３のピーツーピーデバイスに割り当てられる領域であって、上記選択から除外できる。
【００７２】
図１３は、本発明の第６実施形態におけるＩＰアドレス割当方法を説明するための通信シーケンス図である。図１３を参照すると、第１ピーツーピーデバイス１３１０は、第２ピーツーピーデバイス（図示せず）とディスカバリー（Discovery）及びネゴシエーション（Negotiation）手続きを経て接続を完了した状態である。また、ネゴシエーション手続きにおいて、第１ピーツーピーデバイス１３１０は、グループオーナーに決まった状態である。また、第１ピーツーピーデバイス１３１０及び第３ピーツーピーデバイス１３２０は、デバイスディスカバリーを通じて互いに探索された状態である。このような状態で、ステップ１３０１において、第３ピーツーピーデバイス１３２０は、プロビジョンディスカバリー要請フレームを第１ピーツーピーデバイス１３１０に送信する。次に、ステップ１３０２で、第１ピーツーピーデバイス１３１０は、プロビジョンディスカバリー要請フレームの受信に応答してプロビジョンディスカバリー応答フレームを第３ピーツーピーデバイス１３２０に送信する。この際、本発明によれば、プロビジョンディスカバリー応答フレームにはＩＰアドレス、特に私設ＩＰアドレスが含まれるとよい。第３ピーツーピーデバイス１３２０は、受信されたＩＰアドレスを自身のＩＰアドレスに割り当てて、第１ピーツーピーデバイス１３１０がグループオーナーにあるピーツーピーグループに参加する。
【００７３】
以上、本発明におけるピーツーピーデバイスは、多様な形態の電子機器に適用できる。特に、本発明におけるピーツーピーデバイスは、携帯端末機に適用できる。このような携帯端末機は、携帯電話、スマートフォン、タブレットＰＣ、ネットブック（Netbook）ＰＣ、ノートブック（Notebook）ＰＣ、ＰＭＰ（Portable Multimedia Player）、電子書籍リーダー（e-book reader）、ＰＤＡ（Personal Digital Assistant）、ディジタル放送プレーヤー、音楽再生機（例えば、ＭＰ３プレーヤー）、携帯ゲーム端末など、全ての携帯用情報通信機器及び携帯用マルチメディア機器、及びそれに対する応用機器を含むことは自明である。
【００７４】
図１４は、本発明の一実施形態における携帯端末機の構成図である。図１４を参照すると、本発明における携帯端末機１４００は、タッチスクリーン１４１０、キー入力部１４２０、表示部１４３０、格納部１４４０、無線通信部１４５０、及び制御部１４６０を含むことができる。
【００７５】
タッチスクリーン１４１０は、表示部１４３０の前面に取り付けられ、タッチスクリーン１４１０に入力されるユーザのタッチジェスチャーに応答してタッチイベントを発生させて制御部１４６０に伝達する。これによって、制御部１４６０は、タッチスクリーン１４１０から入力されるタッチイベントからユーザのタッチジェスチャーを検出して上記の構成要素を制御することができる。
【００７６】
キー入力部１４２０は、数字または文字情報の入力を受けて、各種機能を設定するための多数の入力キー及びファンクションキーを含んでもよい。キー入力部１４２０は、ユーザ設定及び携帯端末機１４００の機能制御と関連したキー信号を生成して制御部１４６０に伝達する。制御部１４６０は、このようなキー信号に応答して上記の構成要素を制御する。
【００７７】
表示部１４３０は、制御部１４６０の制御下にあって、制御部１４６０から入力を受けた映像データをアナログ信号に変換して表示する。即ち、表示部１４３０は、携帯端末機の利用に伴う多様な画面、例えば、ロック画面、ホーム画面、アプリケーション実行画面、メニュー画面、キーパッド画面、メッセージ作成画面、インターネット画面などを提供することができる。表示部１４３０は、液晶表示装置（Liquid Crystal Display：ＬＣＤ）、ＯＬＥＤ（Organic Light Emitted Diode）、ＡＭＯＬＥＤ（Active Matrix Organic Light Emitted Diode）などの平板表示パネルの形態で形成されてもよい。
【００７８】
格納部１４４０は、携帯端末機のオペレーティングシステム（ＯＳ；Operating System）及び本発明に必要なアプリケーションを初めとして、多様なデータを格納することができる。格納部１４４０は大別してデータ領域とプログラム領域とを含むとよい。格納部１４４０のデータ領域には、携帯端末機１００の使用によって携帯端末機１４００において発生したり、外部からダウンロードしたりしたデータ、即ち、イメージ、文書、ビデオ、メッセージ、メール、ミュージック、効果音などを格納することができる。そして、データ領域には、表示部１４３０が表示する上述した画面を格納することができる。また、データ領域には、複写及びペースト（copy & paste）などのためにユーザがメッセージ、写真、ウェブページ、文書などから複写したデータを臨時に格納することができる。また、データ領域には、携帯端末機の運営のための多様な設定値（例、画面明るさ、タッチ発生時の振動の有無、画面の自動回転の可否など）を格納することができる。また、データ領域は、私設ＩＰアドレスリスト１４４１を含むことができる。格納部１４４０のプログラム領域は、携帯端末機のブーティング及び前述した各構成の運用のためのオペレーティングシステム（ＯＳ：Operating System）と多様なアプリケーションを格納することができる。特に、プログラム領域には、デバイスディスカバリー、プロビジョンディスカバリー、及びネゴシエーションなどのようなワイファイダイレクトの運用及び制御と関連したプログラムが格納される。
【００７９】
無線通信部１４５０は、音声通話、画像通話、またはデータ通信を、制御部１４６０の制御下において実行する。このために、無線通信部１４５０は、送信される信号の周波数をアップコンバートし、信号を増幅する無線周波数送信部と、受信される信号の周波数を低雑音増幅し、信号をダウンコンバートする無線周波数受信部などを含むことができる。また、無線通信部１４５０は、移動通信モジュール（例えば、第３世代（3-Generation）移動通信モジュール、第３．５世代（3.5-Generation）移動通信モジュール、または第４世代（4-Generation）移動通信モジュール等）及びワイファイ（Wi-Fi）モジュール１４５１を含むことができる。
【００８０】
ワイファイモジュール１４５１は、携帯端末機１４００のインターネットプロトコル（ＩＰ：Internet Protocol）基盤の無線通信をサポートする。本発明において、ワイファイモジュール１４５１は、制御部１４６０の制御下に、ＡＰの機能を実行したり、またはステーションの機能を実行したりする。言い換えると、ワイファイモジュール１４５１は、制御部１４６０の制御下において、グループオーナーまたはグループクライアントとして動作する。
【００８１】
ワイファイモジュール１４５１は、制御部１４６０の制御下において、デバイスディスカバリー（Device Discovery）、プロビジョンディスカバリー（Provision Discovery）、及びネゴシエーション（Negotiation）を実行する。特に、ワイファイモジュール１４５１は、制御部１４６０の制御下において、プロビジョンディスカバリー要請フレーム（Provision Discovery Request Frame）、プロビジョンディスカバリー応答フレーム（Provision Discovery Response Frame）、グループオーナーネゴシエーション要請フレーム（GO Negotiation Request Frame）、グループオーナーネゴシエーション応答フレーム（GO Negotiation Response Frame）、またはグループオーナーネゴシエーション確認フレーム（GO Negotiation Configuration Frame）にＩＰアドレスを含めて送信することができる。また、ワイファイモジュール１４５１は、プロビジョンディスカバリー要請フレーム、プロビジョンディスカバリー応答フレーム、グループオーナーネゴシエーション要請フレーム、グループオーナーネゴシエーション応答フレーム、またはグループオーナーネゴシエーション確認フレームに含まれたＩＰアドレスを受信し、受信されたＩＰアドレスを制御部１４６０に伝達することができる。
【００８２】
制御部１４６０は、携帯端末機１４００の全般的な動作及び携帯端末機１４００の内部構成の間の信号の流れを制御し、データを処理する機能を実行する。そして、制御部１４６０はバッテリーから内部構成への電源供給を制御する。また、制御部１４６０は、プログラム領域に格納された各種アプリケーションを実行する。
【００８３】
制御部１４６０は、タッチスクリーン１４１０またはキー入力部１４２０からイベントを受信し、受信されたイベントからディスカバリーの命令を検出することができる。制御部１４６０は、デバイスディスカバリーの命令に応答して、デバイスディスカバリーを実行するようにワイファイモジュール１４５１を制御する。制御部１４６０は、プロビジョンディスカバリーの命令に応答して、プロビジョンディスカバリーを実行するようにワイファイモジュール１４５１を制御する。
【００８４】
制御部１４６０は、私設ＩＰアドレスリスト１４４１から送信する私設ＩＰアドレスを選択し、選択された私設ＩＰアドレスを送信するように、ワイファイモジュール１４５１を制御することができる。制御部１４６０は、ワイファイモジュール１４５１を通じて外部機器、即ちピーツーピーデバイスから私設ＩＰアドレスを受信することができる。ネゴシエーションの結果、携帯端末機１４００がグループクライアントに決定されれば、制御部１４６０は、受信された私設ＩＰアドレスを携帯端末機１４００のＩＰアドレスに割り当てて、ワイファイモジュール１４５１をグループクライアントとして動作させる。ネゴシエーションの結果、携帯端末機１４００がグループオーナーに決定されれば、制御部１４５０は、ワイファイモジュール１４５１をグループオーナーとして動作させる。
【００８５】
一方、ディジタル機器の機能が融合される（convergence）風潮に従って、多様な変形がされているので全て列挙することはできないが、本発明における携帯端末機１４００は、ディジタル放送モジュール（例えば、ＤＭＢモジュール）、ＧＰＳモジュール、及びカメラモジュールなどのように上述されない構成をさらに含むことができる。また、本発明の携帯端末機１４００は、その提供形態に応じて上述した構成から特定の構成要素が除外されても、他の構成要素に代替されてもよいことは勿論である。
【００８６】
前述したような本発明におけるＩＰアドレス割当方法は、多様なコンピュータを通じて実行できるプログラム命令として具現化されて、コンピュータにより読取可能な記録媒体に記録されてもよい。ここで、記録媒体は、プログラム命令、データファイル、データ構造などを含むことができる。また、プログラム命令は、本発明のために特別に設計され、構成されたもの、またはコンピュータソフトウェア当業者に公然と知られて使用可能なものであってもよい。また、記録媒体には、ハードディスク、フロッピーディスク、及び磁気テープのような磁気媒体（Magnetic Media）と、ＣＤ−ＲＯＭ、ＤＶＤのような光記録媒体（Optical Media）と、フロプティカルディスク（Floptical Disk）のような磁気−光媒体（Magneto-Optical Media）と、ＲＯＭと、ＲＡＭと、フラッシュメモリなどのハードウェア装置が含まれてもよい。また、プログラム命令には、コンパイラーにより生成されるもののような機械語コードだけでなく、インタープリターなどを使用してコンピュータにより実行できる高級言語コードが含まれてもよい。ハードウェア装置は、本発明を実行するために、１つ以上のソフトウェアモジュールとして動作するように構成されてもよい。
【００８７】
本発明に従うＩＰアドレス割当方法及び装置は、前述した実施形態に限定されず、本発明の技術思想が許容する範囲で多様に変形して実施されてもよい。
【符号の説明】
【００８８】
１４００    携帯端末機
１４１０    タッチスクリーン
１４２０    キー入力部
１４３０    表示部
１４４０    格納部
１４４１    私設ＩＰアドレスリスト
１４５０    無線通信部
１４５１    ワイファイモジュール
１４６０    制御部
【図１】
2013176044.tif 000003
【図２】
2013176044.tif 000004
【図３】
2013176044.tif 000005
【図４】
2013176044.tif 000006
【図５】
2013176044.tif 000007
【図６】
2013176044.tif 000008
【図７】
2013176044.tif 000009
【図８】
2013176044.tif 000010
【図９】
2013176044.tif 000011
【図１０】
2013176044.tif 000012
【図１１】
2013176044.tif 000013
【図１２】
2013176044.tif 000014
【図１３】
2013176044.tif 000015
【図１４】
2013176044.tif 000016